(57)【要約】【課題】電子装置において、複数のジャックを有する複数のコネクタが基板に実装され、外装パネルに形成されたジャック孔によってジャックが拘束される場合に、複数のコネクタが有する端子を変形させる応力を小さくする技術を提供する。【解決手段】筐体に取り付けられる背面パネル５０には、コネクタ１０，１２，１４が有するジャックそれぞれを挿通可能な複数のジャック孔５２，５４が形成され、ジャック孔５２は基板４０の実装面４０ａから最も遠い位置に存在するジャック３０が挿通される長孔であり、その長手方向が上下方向に沿うとともにその短手方向の幅寸法がジャック３０の外径寸法より大きく形成され、ジャック孔５４は基板４０の実装面４０ａから最も近い位置に存在するジャック３１が挿通される長孔であり、その長手方向が左右方向に沿うとともにその短手方向の幅寸法がジャック３１の外径寸法より大きく形成されている。【選択図】図２
2008047356.tif 000002
【特許請求の範囲】
【請求項１】
信号を入出力するプラグの差込口として第一の方向に並べて配設された複数のジャック、及び雌ネジ部それぞれを有する複数のコネクタと、
前記複数のコネクタが、その実装面に前記第一の方向に略直交する第二の方向に沿ってそれぞれ実装された基板と、
前記基板を取り付ける際に、前記複数のコネクタのジャックそれぞれを挿通可能な複数のジャック孔、及び前記複数のコネクタの雌ネジ部それぞれに連通する複数のネジ孔を有するパネルと、
を備え、
前記パネルのジャック孔に前記複数のコネクタのジャックそれぞれが挿通され、且つ前記パネルのネジ孔と前記複数のコネクタの雌ネジ部それぞれとが連通する際に、前記パネルのネジ孔それぞれにボルトの雄ネジ部を挿通して前記複数のコネクタの雌ネジ部それぞれと螺合されることによって前記パネルに前記複数のコネクタを固定し、
前記パネルのジャック孔のうち、前記実装面から最も遠い位置に存在するジャック孔は、その長手方向が前記第一の方向に沿うとともにその短手方向の幅寸法が前記ジャックの外径寸法より大きい長孔として形成され、
前記パネルのジャック孔のうち、前記実装面から最も近い位置に存在するジャック孔は、その長手方向が前記第ニの方向に沿うとともにその短手方向の幅寸法が前記ジャックの外径寸法より大きい長孔として形成されていることを特徴とする電子装置。
【請求項２】
請求項１に記載の電子装置において、
前記パネルのジャック孔のうち、前記実装面から最も遠い位置に存在するジャック孔及び最も近い位置に存在するジャック孔を除いた他のジャック孔は、その長手方向が前記第ニの方向に沿うとともにその短手方向の幅寸法が前記ジャックの外径寸法より大きい長孔として形成されていることを特徴とする電子装置。
【請求項３】
請求項１または請求項２に記載の電子装置において、
前記パネルのジャック孔のうち、長孔として形成されたジャック孔の形状は、その長手方向の両端部が前記ジャックの外径の半径より大きい半径を有する略円弧状であるとともに、その短手方向の両端部が略直線状であることを特徴とする電子装置。
【発明の詳細な説明】
【技術分野】
【０００１】
本発明は、映像信号や音声信号などの信号を入出力するプラグの差込口を有する電子装置に関し、特にプラグの差込口として複数のジャックを有する複数のコネクタを電子装置の外装パネルに固定する技術に関する。
【背景技術】
【０００２】
従来より、映像信号や音声信号などの信号を入出力するプラグの差込口として複数のジャックを有する複数のコネクタがその外装パネルに固定されている電子装置が知られている。
【０００３】
ここで、上述の電子装置について例を挙げて説明する。なお、図５（ａ）及び図５（ｂ）は、複数のジャックを有するコネクタ１１０，１１２，１１４などが基板１４０の実装面１４０ａに並んで実装されている様子を示す平面図及び正面図である。また、図５（ｃ）及び図５（ｄ）は、複数のジャックを有する複数のコネクタ１１０，１１２，１１４などが固定される外装パネル１５０の平面図及び正面図である。なお、以下の説明においては、複数のジャックを電子装置１００の外部から見た場合の手前側（図５（ａ）の下側）を「前」、奥側（図５（ａ）の上側）を「後」、上側（図５（ｂ）の上側）を「上」、下側（図５（ｂ）の下側）を「下」、複数のコネクタの並び方向（図５（ａ）の左右方向）を「左右方向」として説明する。
【０００４】
上述の電子装置１００では、複数のジャック１３０を有するコネクタ１１０，１１２，１１４などが、図５（ａ）及び図５（ｂ）に示すように、基板１４０の実装面１４０ａに左右方向へ並んで実装されている。そして、外装パネル１５０には、図５（ｄ）に示すように、これらのコネクタのジャック１３０それぞれを挿通可能な複数のジャック孔１５２及びこれらのコネクタの雌ネジ部１３２それぞれの連通する複数のネジ孔１５６などが形成されている。以下、複数のジャックを有するコネクタ１１０，１１２，１１４、基板１４０、及び外装パネル１５０について順に説明する。
【０００５】
コネクタ１１０，１１２，１１４は、図５（ａ）及び図５（ｂ）に示すように、それぞれ複数のジャック１３０、雌ネジ部１３２及び複数の端子を有する。具体的には、コネクタ１１０は上下方向に配設された二つのジャック１３０を有し、コネクタ１１２は上下方向に配設された二つのジャック１３０を有し、コネクタ１１４は上方向に配設された三つのジャック１３０と下方向に配設された三つのジャック１３０とを有している。そして、コネクタ１１０，１１２は、それぞれ一つの雌ネジ部１３２を有し、コネクタ１１４は、二つの雌ネジ部１３２を有している。
【０００６】
基板１４０の実装面１４０ａには、図５（ａ）及び図５（ｂ）に示すように、左方向から右方向へコネクタ１１０、１１６，１１０，１１６，１１２，１１６,１１４，１１８，１１２，１１８，１２０が並んで実装されているが、基板１４０には、これらのコネクタが有する端子それぞれを挿通可能な複数の孔（図示せず。以下、スルーホールとも称する）が形成されている。そして、これらのコネクタは、端子それぞれが基板１４０のスルーホールに挿通されてはんだ付けされることによって、基板１４０の実装面１４０ａに実装されるのである。なお、コネクタ１１６，１１８は、それぞれ一つのボリューム調整用のダイヤル１３４を有している。そして、コネクタ１２０は、一つの差込口１３６を有し、一つの雌ネジ部１３８を有している。なお、コネクタ１１６，１１８は、雌ネジ部を有していない。
【０００７】
外装パネル１５０には、図５（ａ）及び図５（ｂ）に示すように、コネクタ１１０，１１２，１１４が有するジャック１３０それぞれを挿通可能な複数のジャック孔１５２、これらのコネクタが有する雌ネジ部１３２それぞれに連通する複数のネジ孔１５６、コネクタ１１６，１１８が有するボリューム調整用のダイヤル１３４それぞれを挿通可能なダイヤル孔１５７、コネクタ１２０が有する差込口１３６を挿通可能な差込口穴１５８、及びコネクタ１２０が有する雌ネジ部１３８に連通するネジ孔１５９が形成されている。
【０００８】
上述したコネクタは、次のようにして外装パネル１５０に固定される。まず、外装パネル１５０が有するジャック孔１５２にコネクタ１１０，１１２，１１４が有するジャック１３０それぞれが挿通され、ダイヤル孔１５７にコネクタ１１６，１１８が有するボリューム調整用のダイヤル１３４それぞれが挿通され、差込口穴１５８にコネクタ１２０が有する差込口１３６が挿通される。そして、外装パネル１５０が有するネジ孔１５６、１５９と上述したコネクタが有する雌ネジ部１３２，１３８それぞれとが連通され、外装パネル１５０が有するネジ孔１５６、１５９それぞれにボルト（図示せず）の雄ネジ部を挿通して上述したコネクタが有する雌ネジ部１３２，１３８それぞれと螺合されることによって外装パネル１５０に上述したコネクタを固定するのである。
【０００９】
なお、熱膨張率の異なる排気系部品を複数のボルトより締結してなる内燃機関の排気装置において、排気系部品の少なくとも一方にボルトが貫通するボルト孔を形成し、これらボルト孔のうち少なくとも一つをボルトが貫通することにより排気系部品を互いに位置決めする位置決め孔とするとともに、この位置決め孔以外のボルト孔を位置決め孔より大きくすることによりボルトが遊嵌する逃し孔とした内燃機関の排気装置が知られている（例えば特許文献１参照）。この内燃機関の排気装置においては、高温の排気ガスに曝されて排気系部品間に熱膨張率の相違による相対変位が生じても、逃し孔に嵌合したボルトが逃し孔の長手方向に沿って移動することにより、排気系部品の接合面での摺動が可能となって相対変位が吸収される。
【特許文献１】特開平７−２９３２３６号公報（第２，３頁）
【発明の開示】
【発明が解決しようとする課題】
【００１０】
しかし、上述したような電子装置１００では、次のような理由によりコネクタ１１０，１１２，１１４が有する端子を変形させる応力が発生するという問題点があった。
すなわち、上述のようにコネクタ１１０，１１２，１１４は、端子それぞれが基板１４０のスルーホールに挿通されてはんだ付けされることによって、基板１４０の実装面１４０ａに実装される。そして、例えば基板１４０の加工精度内のばらつき量によって基板１４０に形成されるスルーホールの左右方向の位置が基板１４０ごとにばらつくと、基板１４０の実装面１４０ａに左右方向へ並んで実装されるコネクタ１１０，１１２，１１４が有するジャック１３０の左右方向の位置が基板１４０ごとにばらつくことになる。また、例えば外装パネル１５０の加工精度内のばらつき量によって、外装パネル１５０に形成されているジャック孔１５２の左右方向の位置が外装パネル１５０ごとにばらつく。よって、ジャック孔１５２に対するジャック１３０の左右方向の相対位置のばらつき量（以下、相対変位量とも称する）は、ジャック孔１５２の左右方向の位置のばらつき量と、ジャック１３０の左右方向の位置のばらつき量とを加算したばらつき量となる。ここで、ジャック孔１５２とジャック１３０とを同軸に配置した場合において、ジャック１３０の外周とジャック孔１５２の内周との隙間の寸法を差分量とも称する。すると、相対変位量が差分量より小さい場合には、ジャック１３０の外周がジャック孔１５２の内周に当接しないので、ジャック孔１５２によってジャック１３０が拘束されることがない。よって、基板１４０の実装面１４０ａにはんだ付けされることによって実装されているコネクタ１１０，１１２，１１４はジャック孔１５２によって拘束されることがないので、コネクタ１１０，１１２，１１４が有する端子を変形させる応力が発生しない。しかし、相対変位量が差分量より大きい場合には、ジャック１３０の外周がジャック孔１５２の内周に当接するので、ジャック孔１５２によってジャック１３０が拘束される。よって、基板１４０の実装面１４０ａにはんだ付けされることによって実装されているコネクタ１１０，１１２，１１４はジャック孔１５２によって拘束されるので、外装パネル１５０が例えば金属製の板材などの剛性の高い材料からなる場合には、コネクタ１１０，１１２，１１４が有する端子を変形させる応力が発生するのである。そして、コネクタ１１０，１１２，１１４が有する端子を変形させる応力が大きい場合には、基板１４０の実装面１４０ａに実装されているコネクタ１１０，１１２，１１４が故障するおそれがあった。
【００１１】
なお、例えばコネクタ１１０，１１２，１１４が有するジャック１３０の外径寸法が１０ｍｍであり、ジャック１３０が挿通可能なジャック孔１５２の内径寸法が１０．２ｍｍであった場合には、差分量は、０．１ｍｍとなる。よって、例えば相対変位量が０．１ｍｍ以上でなければ、ジャック孔１５２によってジャック１３０が拘束されることがない。しかし、例えば相対変位量が０．１ｍｍ以上であれば、ジャック孔１５２によってジャック１３０が拘束される。また、例えばジャック孔１５２によってジャック１３０が拘束される場合に、同じ相対変位量であれば、基板１４０の実装面１４０ａから近い位置に存在するジャック１３０と比較して、基板１４０の実装面１４０ａから遠い位置に存在するジャック１３０の方が、コネクタ１１０，１１２，１１４が有する端子を変形させる応力が小さい。その理由は、同じ相対変位量であれば、基板１４０の実装面１４０ａからジャック１３０までの距離に比例してコネクタ１１０，１１２，１１４が有する端子を変形させる角度が小さくなり、端子の変形量が小さくなるからである。
【００１２】
なお、上述した特許文献１に記載の内燃機関の排気装置においては、排気系部品間に相対変位が生じても、その相対変位が吸収される。しかし、特許文献１に記載された発明は、素材の熱膨張率の相違に起因する排気系部材間の相対変位のように、それぞれの部材の変位方向を想定できる場合には、効果的であると推測するが、加工誤差内のばらつき量に起因する部材間の相対変位のように、それぞれの部材の変位方向を想定できない場合には、効果的ではない。
【００１３】
本発明は、このような課題を解決するためになされたものであり、映像信号や音声信号などの信号を入出力するプラグの差込口として複数のジャックを有する複数のコネクタがその外装パネルに固定されている電子装置において、外装パネルに形成されたジャック孔によってジャックが拘束される場合に、基板の実装面に実装されている複数のコネクタが有する端子を変形させる応力を小さくする技術を提供することを目的とする。
【課題を解決するための手段】
【００１４】
本発明の電子装置（１：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）は、信号を入出力するプラグの差込口として第一の方向に並べて配設された複数のジャック、及び雌ネジ部それぞれを有する複数のコネクタ（１０，１２，１４）と、複数のコネクタが、その実装面に前記第一の方向に略直交する第二の方向に沿ってそれぞれ実装された基板（４０）と、基板を取り付ける際に、複数のコネクタのジャックそれぞれを挿通可能な複数のジャック孔、及び複数のコネクタの雌ネジ部それぞれに連通する複数のネジ孔を有するパネル（５０）と、を備える。
【００１５】
そして、パネルのジャック孔に複数のコネクタのジャックそれぞれが挿通され、且つパネルのネジ孔と複数のコネクタの雌ネジ部それぞれとが連通する際に、パネルのネジ孔それぞれにボルトの雄ネジ部を挿通して複数のコネクタの雌ネジ部それぞれと螺合されることによってパネルに複数のコネクタを固定し、パネルのジャック孔のうち、前記実装面から最も遠い位置に存在するジャック孔（５２）は、その長手方向が前記第一の方向に沿うとともにその短手方向の幅寸法がジャックの外径寸法より大きい長孔として形成され、パネルのジャック孔のうち、前記実装面から最も近い位置に存在するジャック孔（５４）は、その長手方向が前記第ニの方向に沿うとともにその短手方向の幅寸法がジャックの外径寸法より大きい長孔として形成されている。
【００１６】
上述のように、本発明の電子装置によれば、次のような作用効果を奏する。すなわち、パネルのジャック孔のうち、前記実装面から最も遠い位置に存在するジャック孔は、その長手方向が前記第一の方向に沿うとともにその短手方向の幅寸法がジャックの外径寸法より大きい長孔として形成されている。一例を挙げると、前記実装面から最も遠い位置に存在するジャック孔は、図３（ａ）に例示するように、その長手方向が前記第一の方向に沿うとともにその短手方向の幅寸法がジャックの外径寸法より約２％大きく、その長手方向の軸心における両端部の距離がジャックの外径寸法より約１０％大きい長孔として形成されるといった具合である。よって、このジャック孔にジャックが挿通された場合に、ジャックがこのジャック孔に拘束されないで移動できる距離は、第二の方向と比較して、第一の方向の方が長いので、第ニの方向と比較して、第一の方向の方がこのジャック孔によってジャックは拘束され難い。そして、パネルのジャック孔のうち、前記実装面から最も近い位置に存在するジャック孔は、その長手方向が前記第ニの方向に沿うとともにその短手方向の幅寸法がジャックの外径寸法より大きい長孔として形成されている。一例を挙げると、前記実装面から最も近い位置に存在するジャック孔は、図３（ａ）に例示するように、その長手方向が前記第二の方向に沿うとともにその短手方向の幅寸法がジャックの外径寸法より約２％大きく、その長手方向の軸心における両端部の距離がジャックの外径寸法より約１０％大きい長孔として形成されるといった具合である。よって、このジャック孔にジャックが挿通された場合に、ジャックがこのジャック孔に拘束されないで移動できる距離は、第一の方向と比較して、第二の方向の方が長いので、第一の方向と比較して、第二の方向の方がこのジャック孔によってジャックは拘束され難い。つまり、ジャック孔にジャックが挿通された場合に、ジャック孔によってジャックは、第二の方向に対して前記実装面から最も遠い位置に存在するジャック孔と比較して、最も近い位置に存在するジャック孔の方が拘束され難く、第一の方向に対して前記実装面から最も遠い位置に存在するジャック孔と比較して、最も近い位置に存在するジャック孔の方が拘束されるのである。
【００１７】
ところで、上述した「発明が解決しようとする課題」欄において記載したように、例えばコネクタが、端子それぞれが基板のスルーホールに挿通されてはんだ付けされることによって、基板の実装面に実装される場合には、コネクタが有する端子を変形させる応力は次のようになる。すなわち、ジャック孔によってジャックが拘束される場合に、「第二の方向」に相当する左右方向の相対位置のばらつき量である相対変位量が同じであれば、基板の実装面からジャックまでの距離に比例してコネクタが有する端子を変形させる角度が小さくなり、端子の変形量が小さくなるので、基板の実装面から近い位置に存在するジャックと比較して、基板の実装面から遠い位置に存在するジャックの方が、コネクタが有する端子を変形させる応力が小さい。換言すると、基板の実装面から近い位置に存在するジャックにおいて、コネクタが有する端子を変形させる応力を小さくするには、基板の実装面から遠い位置に存在するジャックの相対変位量と比較して、基板の実装面から近い位置に存在するジャックの相対変位量を小さくするか、ジャック孔によってジャックが拘束され難くいようにすればよい。そして、基板の実装面から遠い位置に存在するジャックの相対変位量と比較して、基板の実装面から近い位置に存在するジャックの相対変位量を小さくするのは、現実的でないので、ジャック孔によって基板の実装面から近い位置に存在するジャックが拘束され難いようにすればよい。
【００１８】
そして、本発明の電子装置によれば、上述のように、ジャック孔にジャックが挿通された場合に、ジャック孔によってジャックは、「第二の方向」に相当する左右方向に対して前記実装面から最も遠い位置に存在するジャック孔と比較して、最も近い位置に存在するジャック孔の方が拘束され難くいので、コネクタが有する端子を変形させる応力を小さくできる。したがって、基板の実装面に実装されているコネクタの故障率を小さくできる。
【００１９】
また、上述したように、パネルのジャック孔のうち、前記実装面から最も遠い位置に存在するジャック孔は、その長手方向が前記第一の方向に沿うとともにその短手方向の幅寸法がジャックの外径寸法より大きい長孔として形成されているので、このジャック孔にジャックが挿通された場合に、第二の方向に対してこのジャック孔によってジャックは拘束される。つまり、複数のコネクタが、「第二の方向」に相当する左右方向に沿ってそれぞれ基板の実装面に実装され、パネルに固定される場合には、複数のコネクタのジャックがパネルに形成されているこのジャック孔によって左右方向に拘束される。したがって、ジャック孔によってジャックが左右方向に拘束されない場合と比較して、ジャックとジャック孔との左右方向のずれが小さいので、電子装置としての外観上の美観を損なわない。
【００２０】
さらに、上述したように、パネルのジャック孔のうち、前記実装面から最も近い位置に存在するジャック孔は、その長手方向が前記第ニの方向に沿うとともにその短手方向の幅寸法がジャックの外径寸法より大きい長孔として形成されているので、このジャック孔にジャックが挿通された場合に、第一の方向に対してこのジャック孔によってジャックは拘束される。つまり、複数のコネクタが、「第二の方向」に相当する左右方向に沿ってそれぞれ基板の実装面に実装され、パネルに固定される場合には、複数のコネクタのジャックがパネルに形成されているこのジャック孔によって上下方向に拘束される。したがって、ジャック孔によってジャックが上下方向に拘束されない場合と比較して、ジャックとジャック孔との上下方向のずれが小さいので、電子装置としての外観上の美観を損なわない。
【００２１】
また、基板の実装面から最も遠い位置に存在するジャック孔及び最も近い位置に存在するジャック孔を除いた他のジャック孔は、その長手方向が第二の方向に沿う長孔であるとよい。
【００２２】
具体的には、請求項２に記載のように、パネルのジャック孔のうち、前記実装面から最も遠い位置に存在するジャック孔及び最も近い位置に存在するジャック孔を除いた他のジャック孔は、その長手方向が前記第ニの方向に沿うとともにその短手方向の幅寸法がジャックの外径寸法より大きい長孔として形成されているとよい。一例を挙げると、前記実装面から最も遠い位置に存在するジャック孔及び最も近い位置に存在するジャック孔を除いた他のジャック孔は、その長手方向が前記第一の方向に沿うとともにその短手方向の幅寸法がジャックの外径寸法より約２％大きく、その長手方向の軸心における両端部の距離がジャックの外径寸法より約１０％大きい長孔として形成されるといった具合である。
【００２３】
このように構成された電子装置によれば、次のような作用効果を奏する。すなわち、前記実装面から最も遠い位置に存在するジャック孔及び最も近い位置に存在するジャック孔を除いた他のジャック孔にジャックが挿通された場合に、ジャックがこのジャック孔に拘束されないで移動できる距離は、第一の方向と比較して、第二の方向の方が長いので、第一の方向と比較して、第二の方向の方がこのジャック孔によってジャックは拘束され難い。つまり、このジャック孔にジャックが挿通された場合に、このジャック孔によってジャックは、第二の方向に対して前記実装面から最も遠い位置に存在するジャック孔と比較して、このジャック孔の方が拘束され難くい。
【００２４】
ところで、上述のように、基板の実装面から近い位置に存在するジャックにおいて、コネクタが有する端子を変形させる応力を小さくするには、基板の実装面から遠い位置に存在するジャックの相対変位量と比較して、基板の実装面から近い位置に存在するジャックの相対変位量を小さくするか、ジャック孔によってジャックが拘束され難くいようにすればよい。そして、基板の実装面から遠い位置に存在するジャックの相対変位量と比較して、基板の実装面から近い位置に存在するジャックの相対変位量を小さくするのは、現実的でないので、ジャック孔によって基板の実装面から近い位置に存在するジャックが拘束され難いようにすればよい。
【００２５】
そして、本発明の電子装置によれば、上述のように、このジャック孔にジャックが挿通された場合に、このジャック孔によってジャックは、「第二の方向」に相当する左右方向に対して前記実装面から最も遠い位置に存在するジャック孔と比較して、このジャック孔の方が拘束され難くいので、コネクタが有する端子を変形させる応力を小さくできる。したがって、基板に実装されているコネクタの故障率を小さくできる。
【００２６】
また、長孔のジャック孔の形状は、長手方向の両端部がジャックの外径の半径より大きい半径を有する略円弧状であり、短手方向の両端部が略直線状であるとよい。
具体的には、請求項３に記載のように、パネルのジャック孔のうち、長孔として形成されたジャック孔の形状は、その長手方向の両端部がジャックの外径の半径より大きい半径を有する略円弧状であるとともに、その短手方向の両端部が略直線状であるとよい。
【００２７】
このように構成された電子装置によれば、次のような作用効果を奏する。すなわち、長孔のジャック孔の形状は、その長手方向の両端部が前記ジャックの外径の半径より大きい半径を有する略円弧状であるとともに、その短手方向の両端部が略直線状であるので、ジャック孔の長手方向の両端部とジャックとのとのずれが目立たないので、電子装置としての外観上の美観を損なわない。
【発明を実施するための最良の形態】
【００２８】
本実施形態は本発明に係る電子装置を、いわゆるカラオケ装置に適用したものであり、以下、本実施形態について図面を用いて説明する。
［カラオケ装置の構成の説明］
図１は、本実施形態に係るカラオケ装置１の構成を示すブロック図である。
【００２９】
本実施形態の電子装置としてのカラオケ装置１は、図１に示すように、当該カラオケ装置１の背面を除く外装を構成する筐体８８、カラオケ装置１の背面の外装を構成し、筐体８８にボルト（図示せず）によって取り付けられる背面パネル５０、外部との間で信号を入出力するための信号入出力部８９、カラオケ装置１全体の制御を司るＣＰＵ７４、及びこのＣＰＵ７４に接続された以下の各部、すなわちカラオケ曲及びドラマや映画などのコンテンツの予約操作などを行うための操作パネル７０、画像情報等を映像化するための映像処理部７１、ＭＰＥＧ映像データの再生手段となるＭＰＥＧデコーダ７２、カラオケ演奏用の楽曲データや映像データその他各種データを記憶しているハードディスク（ＨＤＤ）７３、システムプログラムや各種の設定に必要な設定データなどを記憶しておくメモリ７５、カラオケ装置１をＬＡＮ９０に接続するためのＬＡＮインターフェース７６、時刻管理をするＲＴＣ（Real Time Clock ）７７、ＭＩＤＩデータ（楽曲データ）に基づく演奏再生を行うＭＩＤＩ音源部７８、ＭＩＤＩ音源部７８による再生音及び利用者（歌唱者）の歌声をミキシングする等して適宜音声処理を施す音声処理部７９を備えている。
【００３０】
音声処理部７９は信号入出力部８９を介してアンプ８０と接続可能であり、音声処理部７９から出力された音声信号がアンプ８０によって増幅等されてスピーカ８２に出力されると、このスピーカ８２から伴奏曲及び利用者（歌唱者）の歌声等が発せられる。また、音声処理部７９は信号入出力部８９を介してマイクロフォン８３と接続可能であり、利用者（歌唱者）の歌声等がマイクロフォン８３によって音声信号として入力されると、その音声信号が信号入出力部８９を介して音声処理部７９に入力される。また、映像処理部７１は信号入出力部８９を介してモニタ８４と接続可能であり、映像処理部７１から出力された映像信号がモニタ８４へ出力されると、このモニタ８４が背景画、歌詞及び映像等を表示する。
【００３１】
そして、信号入出力部８９と、アンプ８０、マイクロフォン８３及びモニタ８４との接続は、次のようになされている。すなわち、一端がアンプ８０、マイクロフォン８３及びモニタ８４それぞれに接続されているケーブルごとの他端それぞれには、例えばＲＣＡ端子などのプラグ８６が接続されている。そして、信号入出力部８９は、これらのプラグ８６及び他の映像信号や音声信号などの信号を入出力するプラグ８６が着脱可能な差込口としてのジャック３０及びジャック３１を有する複数のコネクタと、これらの複数のコネクタが実装されてこれらの複数のコネクタと音声処理部７９及び映像処理部７１とを接続する基板４０とを有している。
【００３２】
なお、本実施形態においては、背面パネル５０が「パネル」に相当し、信号入出力部８９が「複数のコネクタ」及び「基板」に相当する。
［信号入出力部８９の構成の説明］
次に、信号入出力部８９の構成について、図２（ａ）及び図２（ｂ）を参照して説明する。なお、図２（ａ）及び図２（ｂ）は、ジャック３０及びジャック３１を有するコネクタ１０、コネクタ１２、及びコネクタ１４などが基板４０の実装面４０ａに並んで実装されている様子を示す平面図及び正面図である。また、以下の説明においては、ジャック３０及びジャック３１をカラオケ装置１の外部から見た場合の手前側（図２（ａ）の下側）を「前」、奥側（図２（ａ）の上側）を「後」、上側（図２（ｂ）の上側）を「上」、下側（図２（ｂ）の下側）を「下」、上述のコネクタの並び方向（図２（ａ）の左右方向）を「左右方向」として説明する。
【００３３】
信号入出力部８９は、図２（ａ）及び図２（ｂ）に示すように、基板４０と、基板４０の実装面４０ａに並んで実装されている１１個のコネクタとを有している。
基板４０は、例えばエポキシ樹脂などで形成された略矩形状の平板からなるプリント基板である。基板４０には、抵抗器、コンデンサ、トランジスタ、ＩＣなどの電子部品（図示せず）が有する端子それぞれを挿通可能な複数の孔（図示せず。以下、スルーホールとも称する）が形成されており、その実装面４０ａには、上述の電子部品がはんだ付けにより実装されている。また、基板４０の実装面４０ａの前部には、上述のような１１個のコネクタが実装されている。具体的には、１１個のコネクタのうち左側から１，３番目がコネクタ１０であり、５，９番目がコネクタ１２であり、７番目がコネクタ１４であり、２，４，６番目がコネクタ１６であり、８，１０番目がコネクタ１８であり、１１番目がコネクタ２０である。
【００３４】
コネクタ１０は、音声入力用のコネクタであり、コネクタ本体１０ａの前面から前方へ突出した上段のジャック３０と下段のジャック３１、コネクタ本体１０ａの前面の中段の右側に配設された雌ネジ部３２、及びコネクタ本体１０ａの下面から下方へ突出した複数の端子を有している。ここで、ジャック３０の外径寸法とジャック３１の外径寸法とは、同じ寸法に構成されている。
【００３５】
コネクタ１２は、有線入力用（左側から５番目）及びマイクロフォン８３用（左側から９番目）のコネクタであり、コネクタ１０と同様の構成を有している。
コネクタ１４は、音声出力用のコネクタであり、その上段に配設されたコネクタ１０のジャック３０と同様の構成を有する三つのジャックとその下段に配設されたコネクタ１０のジャック３１と同様の構成を有する三つのジャック、コネクタ本体１４ａの前面の中段に左右対称に配設されたコネクタ１０の雌ネジ部３２と同様の構成を有する二つの雌ネジ部、及びコネクタ本体１４ａの下面から下方へ突出した複数の端子を有している。なお、コネクタ１４は、ジャック３０及びジャック３１がコネクタ本体１４ａの前面から前方へ突出すように構成されている。
【００３６】
コネクタ１６は、ボリューム用のコネクタであり、コネクタ本体１６ａの前面の下段から前方へ突出したボリューム調整用のダイヤル３４、及びコネクタ本体１６ａの下面から下方へ突出した複数の端子を有している。
【００３７】
コネクタ１８は、ボリューム用のコネクタであり、コネクタ本体１８ａの前面の中段から前方へ突出したコネクタ１６のボリューム調整用のダイヤル３４と同様の構成を有するボリューム調整用のダイヤル、及びコネクタ本体１８ａの下面から下方へ突出した複数の端子を有している。
【００３８】
コネクタ２０は、映像出力用のコネクタであり、コネクタ本体２０ａの前面の下段から前方へ突出した差込口３６、及びコネクタ本体２０ａの前面の中段に配設された雌ネジ部３８、及びその下面から下方へ突出した複数の端子を有している。
【００３９】
そして、これらのコネクタ１０，１２，１４，１６，１８，２０は、端子それぞれが基板４０のスルーホールに挿通されてはんだ付けされることによって、基板４０の実装面４０ａにそれぞれ実装されるのである。また、これらのコネクタ１０，１２，１４，１６，１８，２０は、端子それぞれが基板４０にはんだ付けされることによって基板４０に電気的に接合されており、基板４０を介して音声処理部７９（図１参照）及び映像処理部７１に電気的に接続されている。この際、コネクタ１０は、コネクタ本体１０ａの前面が基板４０の実装面４０ａの前縁４０ｂより前方へ所定距離突出するように基板４０の実装面４０ａに実装されている。なお、本例では、上記の所定距離については、約２ｍｍに設定されている。なお、コネクタ１２、コネクタ１４、及びコネクタ２０についても同様である。ここで、コネクタ１０の前面、コネクタ１２の前面、コネクタ１４の前面、及びコネクタ２０の前面によって形成される面を、以下、「取付面」とも称する。また、コネクタ１６は、コネクタ本体１６ａの前面が取付面よりも後方に位置するとともに、コネクタ１６のボリューム調整用のダイヤル３４の先端が取付面より前方に位置するように基板４０の実装面４０ａに実装されている。なお、コネクタ１８についても同様である。よって、コネクタ１０のジャック３０とジャック３１、コネクタ１２のジャック３０とジャック３１、コネクタ１４のジャック３０とジャック３１、コネクタ２０の差込口３６、コネクタ１６のボリューム調整用のダイヤル３４、及びコネクタ１８のボリューム調整用のダイヤル３４は、取付面より前方へ突出している。
【００４０】
［背面パネル５０の構成の説明］
次に、背面パネル５０の構成について、図２（ｃ）、図２（ｄ）及び図３（ａ）を参照して説明する。なお、図２（ｃ）及び図２（ｄ）は、ジャック３０及びジャック３１を有する複数のコネクタ１０、コネクタ１２、及びコネクタ１４などが固定される背面パネル５０の平面図及び正面図である。また、図３（ａ）は、ジャック孔５２及びジャック孔５４を拡大して示す背面パネル５０の正面図である。
【００４１】
背面パネル５０は、例えば金属製の板材などの剛性の高い材料からなり、図２（ｃ）及び図２（ｄ）に示すように、略矩形状の平板部５０１と、その平板部５０１の四辺の縁から略垂直に立ち上がった略矩形状の補強部５０２〜５０５とを有している。なお、図２（ｃ）及び図２（ｄ）においては、左側の補強部５０２及び上側の補強部５０３を図示し、右側の補強部５０４及び下側の補強部５０５の図示を省略する。また、平板部５０１において、補強部５０２〜５０５が立ち上がっている面を内面５０１ａとし、その内面に対する裏面を外面５０１ｂとする。
【００４２】
そして、背面パネル５０の平板部５０１には、コネクタ１０の上段のジャック３０を挿通可能なジャック孔５２、コネクタ１０の下段のジャック３１を挿通可能なジャック孔５４、及びコネクタ１０の雌ネジ部３２に連通するネジ孔５６が、基板４０を背面パネル５０に取り付ける際に、それぞれ対応する孔に基板４０側のジャック３０、ジャック３１、及びボルト６０の雄ネジ部が挿通されるように形成されている。
【００４３】
また、背面パネル５０の平板部５０１には、コネクタ１２の上段のジャック３０を挿通可能なジャック孔５２、コネクタ１２の下段のジャック３１を挿通可能なジャック孔５４、及びコネクタ１２の雌ネジ部３２に連通するネジ孔５６が、基板４０を背面パネル５０に取り付ける際に、それぞれ対応する孔に基板４０側のジャック３０、ジャック３１、及びボルト６０の雄ネジ部が挿通されるように形成されている。
【００４４】
さらに、背面パネル５０の平板部５０１には、コネクタ１４の上段の三つのジャック３０それぞれを挿通可能な三つのジャック孔５２、コネクタ１４の下段の三つのジャック３１それぞれを挿通可能な三つのジャック孔５４、及びコネクタ１４の二つの雌ネジ部３２それぞれに連通する二つのネジ孔５６が、基板４０を背面パネル５０に取り付ける際に、それぞれ対応する孔に基板４０側のジャック３０、ジャック３１、及びボルト６０の雄ネジ部が挿通されるように形成されている。
【００４５】
また、背面パネル５０の平板部５０１には、コネクタ１６のボリューム調整用のダイヤル３４を挿通可能なダイヤル孔５７が、基板４０を背面パネル５０に取り付ける際に、それに対応する孔に基板４０側のボリューム調整用のダイヤル３４が挿通されるように形成されている。
【００４６】
また、背面パネル５０の平板部５０１には、コネクタ１８のボリューム調整用のダイヤル３４を挿通可能なダイヤル孔５７が、基板４０を背面パネル５０に取り付ける際に、それに対応する孔に基板４０側のボリューム調整用のダイヤル３４が挿通されるように形成されている。
【００４７】
また、背面パネル５０の平板部５０１には、コネクタ２０の差込口３６を挿通可能な差込口穴５８、コネクタ２０の雌ネジ部３２に連通するネジ孔５９が、基板４０を背面パネル５０に取り付ける際に、それぞれに対応する孔に基板４０側の差込口３６、及びボルト６２の雄ネジ部が挿通されるように形成されている。
【００４８】
そして、ジャック孔５２は、基板４０の実装面４０ａから最も遠い位置に存在するジャック３０が挿通される長孔であり、その長手方向が上下方向に沿うとともにその短手方向の幅寸法がジャック３０の外径寸法より大きく形成されている。例えばジャック孔５２は、その短手方向の両端部５２１ａ，５２１ｂが略直線状であり、その幅寸法がジャック３０の外径寸法より約２％大きく形成されている。また、例えばジャック孔５２は、その長手方向の両端部５２２ａ，５２２ｂがジャック３０の外径の半径より約１０％大きい半径を有する略円弧状で、その長手方向の軸心における両端部５２２ａ，５２２ｂの距離がジャック３０の外径寸法より約１０％大きく形成されている。
【００４９】
なお、本実施形態では、ジャック３０の外径寸法については１０ｍｍに設定されている。この場合、図３（ａ）に示すように、ジャック孔５２は、その短手方向の幅寸法が１０．２ｍｍで形成され、その長手方向の両端部５２２ａ，５２２ｂが半径５．５ｍｍを有する略円弧状で、その長手方向の軸心における両端部５２２ａ，５２２ｂの距離が１１ｍｍで形成されている。このことにより、ジャック孔５２にジャック３０が挿通された場合に、ジャック３０がジャック孔５２によって拘束されないで移動できる距離は、左右方向へは０．２ｍｍとなり、上下方向へは１ｍｍとなる。よって、ジャック孔５２にジャック３０が挿通された場合に、左右方向と比較して、上下方向の方がジャック孔５２によってジャック３０は拘束され難い。
【００５０】
また、ジャック孔５４は、基板４０の実装面４０ａから最も近い位置に存在するジャック３１が挿通される長孔であり、その長手方向が左右方向に沿うとともにその短手方向の幅寸法がジャック３１の外径寸法より大きく形成されている。例えばジャック孔５４は、その短手方向の両端部５４１ａ，５４１ｂが略直線状であり、その幅寸法がジャック３１の外径寸法より約２％大きく形成されている。また、例えばジャック孔５４は、その長手方向の両端部５４２ａ，５４２ｂがジャック３１の外径の半径より約１０％大きい半径を有する略円弧状で、その長手方向の軸心における両端部５４２ａ，５４２ｂの距離がジャック３１の外径寸法より約１０％大きく形成されている。しかし、ジャック孔５４は、その長手方向が、ジャック孔５２の長手方向と略直交するように構成されている。
【００５１】
なお、本実施形態では、ジャック３１の外径寸法については１０ｍｍに設定されている。この場合、図３（ａ）に示すように、ジャック孔５４は、その短手方向の幅寸法が１０．２ｍｍで形成され、その長手方向の両端部５４２ａ，５４２ｂが半径５．５ｍｍを有する略円弧状で、その長手方向の軸心における両端部５４２ａ，５４２ｂの距離が１１ｍｍで形成されている。このことにより、ジャック孔５４にジャック３１が挿通された場合に、ジャック３１がジャック孔５４によって拘束されないで移動できる距離は、左右方向へは１ｍｍとなり、上下方向へは０．２ｍｍとなる。よって、ジャック孔５４にジャック３１が挿通された場合に、上下方向と比較して、左右方向の方がジャック孔５４によってジャック３１は拘束され難い。
【００５２】
［背面パネル５０に対する基板４０の取付方法について］
次に、背面パネル５０に対する基板４０の取付方法について説明する。なお、図４（ａ）は、背面パネル５０に基板４０を取り付ける様子を示す斜視図であり、図４（ｂ）及び図４（ｃ）は、背面パネル５０に基板４０が取り付けられている様子を示す平面図及び正面図である。
【００５３】
まず、基板４０が、その実装面４０ａが上方へ向くとともに水平になるような姿勢で保持され、背面パネル５０が、背面パネル５０の平板部５０１が垂直になるような姿勢で保持される。この際、基板４０と背面パネル５０とは、上述した基板４０側の取付面と、背面パネル５０の内面５０１ａとが対向するような姿勢で保持される。
【００５４】
そして、基板４０側のジャック３０、ジャック３１、ボリューム調整用のダイヤル３４、及び差込口３６が背面パネル５０の平板部５０１に形成されているそれぞれに対応する孔に挿通される。そして、ボルト６０の雄ネジ部及びボルト６２の雄ネジ部を、背面パネル５０の平板部５０１に形成されているそれぞれに対応する孔に挿通して、基板４０側の雌ネジ部３２及び雌ネジ部３８と螺合されることによって、背面パネル５０の平板部５０１の内面５０１ａに基板を取り付ける。
【００５５】
上述したように基板４０の実装面４０ａの前縁４０ａから略垂直に立ち上がった垂直面より取付面が所定距離前方へ離れているので、基板４０が背面パネル５０に取り付けられると、基板４０の実装面４０ａの前縁４０ｂと、背面パネル５０の平板部５０１の内面５０１ａとの間には所定距離の空間が発生する。よって、基板４０が背面パネル５０に取り付けられると、基板４０の実装面４０ａの前縁４０ｂが背面パネル５０の平板部５０１の内面５０１ａに押し当てられることがないので、基板４０を損傷させることがない。
【００５６】
［本実施形態におけるジャックとジャック孔との関係について］
次に、本実施形態におけるジャックとジャック孔との関係について説明する。
図３（ａ）に示すように、ジャック孔５２にジャック３０（図２参照）が挿通された場合に、左右方向と比較して、上下方向の方がジャック孔５２によってジャック３０は拘束され難い。また、ジャック孔５４にジャック３１が挿通された場合に、上下方向と比較して、左右方向の方がジャック孔５４によってジャック３１は拘束され難い。つまり、ジャック孔５２にジャック３０が挿通され、ジャック孔５４にジャック３１が挿通された場合に、ジャック孔５２によってジャック３０が左右方向に拘束される場合と比較して、ジャック孔５４によってジャック３１は左右方向に拘束され難く、上下方向に拘束されるのである。例えばジャック３０の外径寸法が１０ｍｍであり、図３（ａ）に示すように、例えばジャック孔５２が上述した形状で形成されている場合には、ジャック３０がジャック孔５２によって拘束されないで左右方向へ移動できる距離は、上述したように、０．２ｍｍである。この距離は、ジャック孔５２とジャック３０とを同軸に配置した場合において、ジャック３０の外周とジャック孔５２の内周との隙間の寸法である０．１ｍｍに相当する。また、例えばジャック３１の外径寸法が１０ｍｍであり、図３（ａ）に示すように、例えばジャック孔５４が上述した形状で形成されている場合には、ジャック３１がジャック孔５４によって拘束されないで左右方向へ移動できる距離は、上述したように、１ｍｍである。この距離は、ジャック孔５４とジャック３１とを同軸に配置した場合において、ジャック３１の外周とジャック孔５４の内周との隙間の寸法である０．５ｍｍに相当する。よって、例えば基板４０の加工精度と背面パネル５０の加工精度とによるジャック孔５２に対するジャック３０の左右方向の位置のばらつき、及びジャック孔５４に対するジャック３１の左右方向の位置のばらつきが０．１ｍｍ以上で０．５ｍｍ未満の範囲内である場合には、基板４０の実装面４０ａから遠い位置に存在するジャック孔５２によってジャック３０が左右方向に拘束されることになる。そして、ジャック孔５２に対するジャック３０の左右方向の位置のばらつき、及びジャック孔５４に対するジャック３１の左右方向の位置のばらつきが０．５ｍｍ以上である場合には、基板４０の実装面４０ａから遠い位置に存在するジャック孔５２によってジャック３０が左右方向に拘束されるとともに、基板４０の実装面４０ａから近い位置に存在するジャック孔５４によってジャック３１が左右方向に拘束されることになる。つまり、ジャック孔５２に対するジャック３０の左右方向の位置のばらつき、及びジャック孔５４に対するジャック３１の左右方向の位置のばらつきが０．５ｍｍ以上でなければ、基板４０の実装面４０ａから近い位置に存在するジャック孔５４によってジャック３１が左右方向に拘束されることはない。
【００５７】
また、上述のように、例えば基板４０の加工精度と背面パネル５０の加工精度とによるジャック孔５２に対するジャック３０の左右方向の位置のばらつき、及びジャック孔５４に対するジャック３１の左右方向の位置のばらつきが０．１ｍｍ以上で０．５ｍｍ未満の範囲内である場合には、基板４０の実装面４０ａから遠い位置に存在するジャック孔５２によってジャック３０が左右方向に拘束されることになる。
【００５８】
さらに、上述のように、例えばジャック３０の外径寸法が１０ｍｍであり、図３（ａ）に示すように、例えばジャック孔５２が上述した形状で形成されている場合には、ジャック３０がジャック孔５２によって拘束されないで上下方向へ移動できる距離は、上述したように１ｍｍである。この距離は、ジャック孔５２とジャック３０とを同軸に配置した場合において、ジャック３０の外周とジャック孔５２の内周との隙間の寸法である０．５ｍｍに相当する。また、例えばジャック３１の外径寸法が１０ｍｍであり、図３（ａ）に示すように、例えばジャック孔５４が上述した形状で形成されている場合には、ジャック３１がジャック孔５４によって拘束されないで上下方向へ移動できる距離は、上述したように０．２ｍｍである。この距離は、ジャック孔５４とジャック３１とを同軸に配置した場合において、ジャック３１の外周とジャック孔５４の内周との隙間の寸法である０．１ｍｍに相当する。よって、例えば基板４０の加工精度と背面パネル５０の加工精度とによるジャック孔５２に対するジャック３０の上下方向の位置のばらつき、及びジャック孔５４に対するジャック３１の上下方向の位置のばらつきが０．１ｍｍ以上で０．５ｍｍ未満の範囲内である場合には、基板４０の実装面４０ａから近い位置に存在するジャック孔５４によってジャック３１が上下方向に拘束されることになる。
【００５９】
なお、本実施形態においては、コネクタ１０、コネクタ１２、及びコネクタ１４が「複数のコネクタ」に相当する。
［効果］
本実施形態のカラオケ装置１によれば、次のような効果を奏する。すなわち、従来の映像信号や音声信号などの信号を入出力するプラグの差込口として複数のジャック有する複数のコネクタがその外装パネルに固定されている電子装置において、外装パネルに形成されたジャック孔によってジャックが拘束される場合に、基板の実装面に実装されている複数のコネクタが有する端子を変形させる応力が発生し、その応力が大きい場合には、コネクタが故障するおそれがあった。
【００６０】
それに対して、本実施形態のカラオケ装置１によれば、筐体８８に取り付けられる背面パネル５０の平板部５０１には、コネクタ１０、コネクタ１２、及びコネクタ１４が有する上段のジャック３０それぞれを挿通可能な複数のジャック孔５２と、下段のジャック３１それぞれを挿通可能な複数のジャック孔５４とが形成されている。そして、ジャック孔５２は、基板４０の実装面４０ａから最も遠い位置に存在するジャック３０が挿通される長孔であり、その長手方向が上下方向に沿うとともにその短手方向の幅寸法がジャック３０の外径寸法より大きく形成されている。また、ジャック孔５４は、基板４０の実装面４０ａから最も近い位置に存在するジャック３１が挿通される長孔であり、その長手方向が左右方向に沿うとともにその短手方向の幅寸法がジャック３１の外径寸法より大きく形成されている。このように構成されているので、ジャック孔５２にジャック３０が挿通され、ジャック孔５４にジャック３１が挿通された場合に、ジャック孔５２によってジャック３０が左右方向に拘束される場合と比較して、ジャック孔５４によってジャック３１は左右方向に拘束され難い。なお、ジャックが左右方向に拘束されてコネクタが有する端子を変形させる応力は、実装面４０ａから近い位置のジャック３１と比較して、遠い位置のジャック３０の方が小さい。よって、上述のように、ジャック孔５２にジャック３０が挿通され、ジャック孔５４にジャック３１が挿通された場合に、ジャック孔５２によってジャック３０が左右方向に拘束される場合と比較して、ジャック孔５４によってジャック３１は左右方向に拘束され難いので、コネクタ１０、コネクタ１２、及びコネクタ１４が有する端子を変形させる応力を小さくできる。したがって、基板４０の実装面４０ａに実装されているコネクタ１０、コネクタ１２、及びコネクタ１４の故障率を小さくできる。
【００６１】
また、本実施形態のカラオケ装置１によれば、ジャック孔５２は、基板４０の実装面４０ａから最も遠い位置に存在するジャック３０が挿通される長孔であり、その長手方向が上下方向に沿うとともにその短手方向の幅寸法がジャック３０の外径寸法より大きく形成されている。このように構成されているので、ジャック孔５２にジャック３０が挿通され、ジャック孔５４にジャック３１が挿通された場合に、ジャック孔５２によってジャック３０が左右方向に拘束される。したがって、ジャック孔によってジャック３０が左右方向に拘束されない場合と比較して、ジャック３０とジャック孔５２との左右方向のずれが小さいので、背面パネル５０の外観上の美観を損なわない。
【００６２】
さらに、本実施形態のカラオケ装置１によれば、ジャック孔５４は、基板４０の実装面４０ａから最も近い位置に存在するジャック３１が挿通される長孔であり、その長手方向が左右方向に沿うとともにその短手方向の幅寸法がジャック３１の外径寸法より大きく形成されている。このように構成されているので、ジャック孔５２にジャック３０が挿通され、ジャック孔５４にジャック３１が挿通された場合に、ジャック孔５４によってジャック３１は上下方向に拘束される。したがって、ジャック孔によってジャック３０が上下方向に拘束されない場合と比較して、ジャック３１とジャック孔５４との上下方向のずれが小さいので、背面パネル５０の外観上の美観を損なわない。
【００６３】
また、本実施形態のカラオケ装置１によれば、ジャック孔５２の形状は、その短手方向の両端部５２１ａ，５２１ｂが略直線状であるとともに、その長手方向の両端部５２２ａ，５２２ｂがジャック３０の外径の半径より大きい半径を有する略円弧状である。また、ジャック孔５４の形状は、その短手方向の両端部５４１ａ，５４１ｂが略直線状であるとともに、その長手方向の両端部５４２ａ，５４２ｂがジャック３１の外径の半径より大きい半径を有する略円弧状である。したがって、ジャック孔５２の長手方向の両端部５２２ａ，５２２ｂとジャック３０とのずれ、及びジャック孔５４の長手方向の両端部５４２ａ，５４２ｂとジャック３１とのずれが目立たないので、背面パネル５０の外観上の美観を損なわない。
【００６４】
［他の実施形態］
以上、本発明の実施形態について説明したが、本発明は上記実施形態に限定されるものではなく、以下のような様々な態様にて実施することが可能である。
【００６５】
（１）上記実施形態では、コネクタ１０、コネクタ１２、及びコネクタ１４が、上段に配設されたジャック３０及び下段に配設されたジャック３１を有しているが、コネクタが、三段以上に配設されたジャックを有していてもよい。そして、コネクタが、三段以上に配設されたジャックを有している場合には、基板４０の実装面４０ａから最も遠い位置に存在するジャック孔及び最も近い位置に存在するジャック孔を除いた他のジャック孔については、その長手方向が左右方向に沿うとともにその短手方向の幅寸法がジャックの外径寸法より大きく形成されているとよい。
【００６６】
このように構成された本実施形態によれば、基板４０の実装面４０ａから最も遠い位置に存在するジャック孔にジャックが挿通され、上述の他のジャック孔にジャックが挿通された場合に、基板４０の実装面４０ａから最も遠い位置に存在するジャック孔にジャックが左右方向に拘束される場合と比較して、上述の他のジャック孔にジャックは左右方向に拘束され難い。なお、ジャックが左右方向に拘束されてコネクタが有する端子を変形させる応力は、実装面４０ａから近い位置のジャックと比較して、遠い位置のジャックの方が小さい。よって、上述のように、基板４０の実装面４０ａから最も遠い位置に存在するジャック孔にジャックが挿通され、上述の他のジャック孔にジャックが挿通された場合に、基板４０の実装面４０ａから最も遠い位置に存在するジャック孔にジャックが左右方向に拘束される場合と比較して、上述の他のジャック孔にジャックは左右方向に拘束され難いので、コネクタが有する端子を変形させる応力を小さくできる。したがって、三段以上に配設されたジャックを有しているコネクタが基板４０の実装面４０ａに実装された場合には、コネクタの故障率を小さくできる。
【００６７】
（２）上記実施形態では、コネクタ１０、コネクタ１２、及びコネクタ１４が有する端子それぞれを挿通可能な複数のスルーホールが基板４０に形成され、コネクタ１０、コネクタ１２、及びコネクタ１４は、端子それぞれが基板４０のスルーホールに挿通されてはんだ付けされることによって、基板４０の実装面４０ａに実装されているが、これには限らない。コネクタ１０、コネクタ１２、及びコネクタが有する端子は、例えば表面実装部品のように基板４０の実装面４０ａにはんだ付けのみによって実装できるように構成されていてもよい。このように構成しても、上記実施形態と同様の作用効果を奏する。
【００６８】
（３）上記実施形態では、ジャック孔５２は、例えばジャック３０及びジャック３１の外径寸法が１０ｍｍの場合には、その短手方向の両端部５２１ａ，５２１ｂの幅寸法がジャック３０の外径寸法より約２％大きく形成され、その長手方向の両端部５２２ａ，５２２ｂがジャック３０の外径の半径より約１０％大きい半径を有する略円弧状で、その長手方向の軸心における両端部５２２ａ，５２２ｂの距離がジャック３０の外径寸法より約１０％大きく形成され、ジャック孔５４もジャック孔５２と同じ形状で形成されていたがこれには限らない。なお、図３（ｂ）は、本実施形態のジャック孔２５２及びジャック孔２５４を示す背面パネル５０の正面図である。
【００６９】
ジャック孔２５２は、図３（ｂ）に示すように、例えばジャック３０の外径寸法が１０ｍｍの場合には、その短手方向の両端部２５２１ａ，２５２１ｂの幅寸法がジャック３０の外径寸法より約３％大きく形成され、その長手方向の両端部２５２２ａ，２５２２ｂがジャック３０の外径の半径より約３０％大きい半径を有する略円弧状で、その長手方向の軸心における両端部２５２２ａ，２５２２ｂの距離がジャック３０の外径寸法より約３０％大きく形成され、ジャック孔２５４もジャック孔２５２と同じ形状で形成されていてもよい。本例では、ジャック孔２５２は、その短手方向の幅寸法が１０．２ｍｍで形成されている。また、本例では、ジャック孔２５２は、その長手方向の両端部２５２２ａ，２５２２ｂが半径６．５ｍｍを有する略円弧状で、その長手方向の軸心における両端部２５２２ａ，２５２２ｂの距離が１３ｍｍで形成され、ジャック孔２５４もジャック孔２５２と同じ形状で形成されている。
【００７０】
このように構成された本実施形態によれば、ジャック孔２５４にジャック３１が挿通された場合に、ジャック３０がジャック孔２５４によって拘束されないで左右方向へ移動できる距離は、左右方向へは、３ｍｍであり、この距離は、ジャック孔２５４とジャック３１とを同軸に配置した場合において、ジャック３１の外周とジャック孔２５４の内周との隙間の寸法である１．５ｍｍに相当する。つまり、ジャック孔２５４に対するジャック３１の左右方向の位置のばらつきが１．５ｍｍ以上でなければ、基板４０の実装面４０ａから近い位置に存在するジャック孔２５４によってジャック３１が左右方向に拘束されることはない。上記実施形態では、ジャック孔５４に対するジャック３１の左右方向の位置のばらつきが０．５ｍｍ以上である場合には、ジャック孔５４によってジャック３１が左右方向に拘束される。よって、ジャック孔５４によってジャック３１が左右方向に拘束される場合と比較して、ジャック孔２５４によってジャック３１が左右方向に拘束され難いので、コネクタ１０、コネクタ１２、及びコネクタ１４が有する端子を変形させる応力をさらに小さくできる。
【図面の簡単な説明】
【００７１】
【図１】本実施形態に係るカラオケ装置１の構成を示すブロック図である。
【図２】（ａ）はジャック３０及びジャック３１を有するコネクタ１０、コネクタ１２、及びコネクタ１４などが基板４０の実装面４０ａに並んで実装されている様子を示す平面図であり、（ｂ）はジャック３０及びジャック３１を有するコネクタ１０、コネクタ１２、及びコネクタ１４などが、基板４０の実装面４０ａに並んで実装されている様子を示す正面図であり、（ｃ）はジャック３０及びジャック３１を有する複数のコネクタ１０、コネクタ１２、及びコネクタ１４などが固定される背面パネル５０の平面図であり、（ｄ）はジャック３０及びジャック３１を有する複数のコネクタ１０、コネクタ１２、及びコネクタ１４などが固定される背面パネル５０の正面図である。
【図３】（ａ）はジャック孔５２及びジャック孔５４を拡大して示す背面パネル５０の正面図であり、（ｂ）は他の実施形態（３）のジャック孔２５２及びジャック孔２５４を示す背面パネル５０の正面図である。
【図４】（ａ）は背面パネル５０に基板４０を取り付ける様子を示す斜視図であり、（ｂ）は背面パネル５０に基板４０が取り付けられている様子を示す平面図であり、（ｃ）は背面パネル５０に基板４０が取り付けられている様子を示す正面図である。
【図５】（ａ）は複数のジャックを有するコネクタ１１０，１１２，１１４などが基板１４０の実装面１４０ａに並んで実装されている様子を示す平面図であり、（ｂ）は複数のジャックを有するコネクタ１１０，１１２，１１４などが基板１４０の実装面１４０ａに並んで実装されている様子を示す正面図であり、（ｃ）は複数のジャックを有する複数のコネクタ１１０，１１２，１１４などが固定される外装パネル１５０の平面図であり、（ｄ）は複数のジャックを有する複数のコネクタ１１０，１１２，１１４などが固定される外装パネル１５０の正面図である。
【符号の説明】
【００７２】
１…カラオケ装置、１０，１２，１４，１６，１８，２０，１１０，１１２，１１４，１１６，１１８，１２０…コネクタ、１０ａ，１２ａ，１４ａ，１６ａ，１８ａ，２０ａ…コネクタ本体、３０，３１，１３０…ジャック、３２，３８，１３２，１３８…雌ネジ部、３４，１３４…ダイヤル、３６，１３６…差込口、４０，１４０…基板、４０ａ，１４０ａ…実装面、５０…背面パネル、５０１…平板部、５０２〜５０５…補強部、５０…背面パネル、５２１ａ，５２１ｂ，５４１ａ，５４１ｂ，２５２１ａ，２５２１ｂ，２５４１ａ，２５４１ｂ…短手方向の両端部、５２２ａ，５２２ｂ，５４２ａ，５４２ｂ，２５２２ａ，２５２２ｂ，２５４２ａ，２５４２ｂ…長手方向の両端部、１５０…外装パネル、５２，５４，２５２，２５４，１５２…ジャック孔、５６，１５６…ネジ孔、５７，１５７…ダイヤル孔、５８，１５８…差込口穴、５９，１５９…ネジ孔、６０，６２…ボルト、７０…操作パネル、７１…映像処理部、７２…ＭＰＥＧデコーダ、７３…ハードディスク、７４…ＣＰＵ、７５…メモリ、７６…ＬＡＮインターフェース、７７…ＲＴＣ、７８…ＭＩＤＩ音源部、７９…音声処理部、８０…アンプ、８２…スピーカ、８３…マイクロフォン、８４…モニタ、８６…プラグ、８８…筐体、８９…信号入出力部、９０…ＬＡＮ、１００…電子装置。
【図１】
2008047356.tif 000003
【図２】
2008047356.tif 000004
【図３】
2008047356.tif 000005
【図４】
2008047356.tif 000006
【図５】
2008047356.tif 000007